(57)【要約】【課題】いわゆる「縦すじ」による画品位低下を抑制することができる液晶表示装置を提供する。【解決手段】アクティブマトリクス回路と、映像信号供給回路とを備える液晶表示装置１において、映像信号供給回路は、映像信号が供給されるＮ本の映像信号供給配線５と、引き込み配線６とを備え、各引き込み配線は、幅及び長さが略同一に形成され、全ての映像信号供給配線と重なり合うと共に、第１の接続点Ａから第２の接続点Ｂまでの距離が略等しくなる様に構成されている。【選択図】図１
2008064811.tif 000002
【特許請求の範囲】
【請求項１】
行方向に配されたゲートラインと、列方向に配されたデータラインと、各ゲートラインと各データラインが交差する位置に配された行列状の画素電極とを有し、同一の前記ゲートラインに接続された複数の前記画素電極を単位ユニットとして、該単位ユニット毎に映像信号の書き込みがなされるアクティブマトリクス回路に映像信号を供給する映像信号供給回路において、
映像信号が供給されるＮ（Ｎ：２以上の整数）本の映像信号供給配線と、
それぞれの前記映像信号供給配線を対応する前記データラインに接続する引き込み配線とを備え、
前記各引き込み配線は、幅及び長さが略同一であり、Ｎ本の前記映像信号供給配線と重なり合うと共に、前記映像信号供給配線との接続箇所から前記データラインとの接続箇所までの距離が略同一である
ことを特徴とする映像信号供給回路。
【請求項２】
前記引き込み配線の少なくとも一部は、前記映像信号供給配線との接続箇所を越えて前記データラインとは反対側に延在させた第１の延在部が設けられた
ことを特徴とする請求項１に記載の映像信号供給回路。
【請求項３】
前記引き込み配線の少なくとも一部は、前記データラインとの接続箇所を越えて前記データライン側に延在させた第２の延在部が設けられた
ことを特徴とする請求項１に記載の映像信号供給回路。
【請求項４】
前記引き込み配線は、前記画素電極と接続された画素トランジスタを遮光する遮光膜と同一プロセスで形成された
ことを特徴とする請求項１に記載の映像信号供給回路。
【請求項５】
行方向に配されたゲートラインと、列方向に配されたデータラインと、各ゲートラインと各データラインが交差する位置に配された行列状の画素電極とを有し、同一の前記ゲートラインに接続された複数の前記画素電極を単位ユニットとして、該単位ユニット毎に映像信号の書き込みがなされるアクティブマトリクス回路と、
該アクティブマトリクス回路に映像信号を供給する映像信号供給回路とを備える表示装置において、
前記映像信号供給回路は、映像信号が供給されるＮ（Ｎ：２以上の整数）本の映像信号供給配線と、
それぞれの前記映像信号供給配線を対応する前記データラインに接続する引き込み配線とを備え、
前記各引き込み配線は、幅及び長さが略同一であり、Ｎ本の前記映像信号供給配線と重なり合うと共に、前記映像信号供給配線との接続箇所から前記データラインとの接続箇所までの距離が略同一である
ことを特徴とする表示装置。
【請求項６】
前記映像信号供給回路の上層に、電極層が形成された
ことを特徴とする請求項５に記載の表示装置。
【請求項７】
行方向に配されたゲートラインと、列方向に配されたデータラインと、各ゲートラインと各データラインが交差する位置に配された行列状の画素電極とを有し、同一の前記ゲートラインに接続された複数の前記画素電極を単位ユニットとして、該単位ユニット毎に映像信号の書き込みがなされるアクティブマトリクス回路と、該アクティブマトリクス回路に映像信号を供給する映像信号供給回路とを備える表示装置を有し、該表示装置によって変調された光を用いて映像表示を行なう映像表示装置において、
前記映像信号供給回路は、映像信号が供給されるＮ（Ｎ：２以上の整数）本の映像信号供給配線と、
それぞれの前記映像信号供給配線を対応する前記データラインに接続する引き込み配線とを備え、
前記各引き込み配線は、幅及び長さが略同一であり、Ｎ本の前記映像信号供給配線と重なり合うと共に、前記映像信号供給配線との接続箇所から前記データラインとの接続箇所までの距離が略同一である
ことを特徴とする映像表示装置。
【発明の詳細な説明】
【技術分野】
【０００１】
本発明は映像信号供給回路及び表示装置、並びに映像表示装置に関する。詳しくは、画素がマトリクス状に配列された表示部に対して水平方向（列方向）において複数画素ずつ並列に映像信号を書き込む方式を採る表示装置に映像信号を供給する映像信号供給回路及びこうした回路を有する表示装置、並びに映像表示装置に係るものである。
【背景技術】
【０００２】
表示装置、例えばTFT（Thin Film Transistor）からなる駆動回路・画素セルを同一のガラス基板上に形成した液晶表示装置（ＬＣＤ；Ｌｉｑｕｉｄ  ｃｒｙｓｔａｌ  ｄｉｓｐｌａｙ）の書き込み速度は、入力される映像信号を１ドット（画素）ずつ順に書き込んでいけるほど早くないため、一般に、水平方向において複数画素ずつ並列に映像信号を書き込む方式が採られている。
【０００３】
図４は水平方向において複数画素ずつ並列に映像信号を書き込む方式を採る従来の透過型ＬＣＤを説明するための模式図であり、ここで示す透過型ＬＣＤは、行方向に配されたゲートライン２０１と、列方向に配されたデータライン２０２と、ゲートライン及びデータラインの各交差部に配された保持容量を有する行列状の液晶画素電極２０３とを備えており、水平方向におけるＮ画素が単位ユニットとされ、この単位ユニット毎に映像信号の書き込みを行なう様に構成されている。
【０００４】
ここで、上記した透過型ＬＣＤでは、Ｎ本の映像信号供給配線２０４から映像信号（Ｖｓｉｇ１〜ＶｓｉｇＮ）が供給されており、Ｖｓｉｇ１が供給される第１の映像信号供給配線２０４（１）は各単位ユニットの第１列のデータラインに映像信号（Ｖｓｉｇ１）を入力し、Ｖｓｉｇ２が供給される第２の映像信号供給配線２０４（２）は各単位ユニットの第２列のデータラインに映像信号（Ｖｓｉｇ２）を入力し、・・・、ＶｓｉｇＮが供給される第Ｎの映像信号供給配線２０４（Ｎ）は各単位ユニットの第Ｎ列のデータラインに映像信号（ＶｓｉｇＮ）を入力する様に、映像信号供給配線とデータラインとが引き込み配線２０５によって接続されている。具体的には、第１の映像信号供給配線２０４（１）は第１の引き込み配線２０５（１）によって各単位ユニットの第１列のデータラインと接続され、第２の映像信号供給配線２０４（２）は第２の引き込み配線２０５（２）によって各単位ユニットの第２列のデータラインと接続され、・・・、第Ｎの映像信号供給配線２０４（Ｎ）は第Ｎの引き込み配線２０５（Ｎ）によって各単位ユニットの第Ｎ列のデータラインと接続されている。
【０００５】
なお、映像信号供給配線はアルミニウム等の金属配線が用いられ、引き込み配線は液晶画素電極と接続されたＴＦＴ（Ｔｈｉｎ  Ｆｉｌｍ  Ｔｒａｎｓｉｓｔｏｒ）のゲート電極と同一プロセスで形成される多結晶シリコン膜により形成されるのが一般的である。
【０００６】
ところで、Ｎ本の映像信号供給配線は互いに並行に配置されており、各映像信号供給配線からデータラインまでの距離が異なるために、引き込み配線と映像信号供給配線との接続箇所から引き込み配線とデータラインとの接続箇所までの距離（以下、「接続距離」と称する。）が異なることとなり、具体的には、「第１の引き込み配線２０５（１）の接続距離（図中符合Ｌ１で示す距離）＞第２の引き込み配線２０５（２）の接続距離（図中符合Ｌ２で示す距離）＞・・・＞第Ｎの引き込み配線２０５（Ｎ）の接続距離（図中符合ＬＮで示す距離）」といった関係が生じてしまうこととなり、各引き込み配線の抵抗値が異なってくる。
そして、各引き込み配線の抵抗値が異なった場合には、各サンプリングゲート２０６をオン状態として各映像信号供給配線から同一の映像信号を入力した場合であっても、各データラインに入力される映像信号レベルが異なってしまう。
【０００７】
そこで、特許文献１では、各引き込み配線の抵抗値のバラツキを低減すべく、映像信号供給配線のパターンの間隔分だけ引き込み配線とデータラインとの接続箇所をデータライン側に移動させる技術、即ち、各引き込み配線の接続距離を同一とする技術が提案されている（図５（ａ）参照。）。即ち、図５（ａ）中符合Ｌ１〜ＬＮの距離を同一とする技術が提案されている。
【０００８】
なお、引き込み配線とデータラインとの接続箇所をデータライン側に移動させたことによって、各データラインの抵抗値のバラツキが生じることが考えられるかもしれないが、具体的には、図５（ａ）中符合Ｍ１〜ＭＮの距離が同一ではないことに起因して各データラインの抵抗値のバラツキが懸念されるかもしれないが、データラインについては一般にアルミニウム等の金属配線（約０．１Ω／□）が用いられており、引き込み配線を構成する多結晶シリコン膜（約２４Ω／□）の１／２００程度の抵抗値しか有さないために、データラインの抵抗値のバラツキは引き込み配線の抵抗値のバラツキと比較すると極めて小さなものと言える。
【０００９】
また、各引き込み配線で映像信号供給配線との交差数が異なるため、具体的には、第１の引き込み配線はＮ本の映像信号供給配線（第１の映像信号供給配線〜第Ｎの映像信号供給配線）と交差し、第２の引き込み配線は（N−１）本の映像信号供給配線（第２の映像信号供給配線〜第Ｎの映像信号供給配線）と交差し、・・・、第Ｎの引き込み配線は１本の映像信号供給配線（第Ｎの映像信号供給配線）と交差するために、各引き込み配線の寄生容量が異なってくる。即ち、引き込み配線と映像信号供給配線とが交差する部分で寄生容量が形成されるために、各引き込み配線で映像信号供給配線との交差数が異なると、各引き込み配線の寄生容量が異なってくるのである。
そして、各引き込み配線の寄生容量が異なった場合には、上記した様に、各サンプリングゲートをオン状態として映像信号供給配線から同一の映像信号を入力した場合であっても、各データラインに入力される映像信号レベルが異なってしまう。
【００１０】
そこで、特許文献２では、各引き込み配線が全ての映像信号供給配線と交差する様にダミー配線２０７を形成することで、各引き込み配線で映像信号供給配線との交差数が同一とする技術が提案されている（図５（ｂ）参照。）。
【００１１】
【特許文献１】特開平７−１７５０３８
【発明の開示】
【発明が解決しようとする課題】
【００１２】
ここで、上記した特許文献１に記載の方法では、各引き込み配線で映像信号供給配線との交差数が異なることに起因する各引き込み配線の寄生容量のバラツキを抑制することができず、特許文献２に記載の方法では、各引き込み配線の接続距離が異なることに起因する各引き込み配線の抵抗値のバラツキを抑制することができない。なお、特許文献１に記載された方法と特許文献２に記載された方法とを組み合わせることによって、各引き込み配線の接続距離を同一にできると共に、各引き込み配線の映像信号供給配線との交差数を同一とすることができる。
【００１３】
しかしながら、各引き込み配線の長さ（全長）が異なるために、即ち、各引き込み配線の面積が異なるために、各引き込み配線の寄生容量が異なることとなる。なお、各引き込み配線の寄生容量が異なる場合には、上述した様に各サンプリングゲートをオン状態として各映像信号供給配線から同一の映像信号を入力した場合であっても、各データラインに入力される映像信号レベルが異なってしまい、周期的な縦縞模様が視認されるいわゆる「縦すじ」による画品位低下が問題となってしまう。
【００１４】
ここで、多結晶シリコン膜（約２４Ω／□）はアルミニウム等の金属配線（約０．１Ω／□）と比較すると２００倍以上の高抵抗であるため、多結晶シリコン膜によって形成された引き込み配線では映像信号の遅延が発生してしまい、近年の液晶表示装置の高精細化に伴う駆動周波数の高速化を実現するための要求を満たすことが困難になりつつある。そこで、引き込み配線としてＴＦＴを遮光する遮光膜と同一プロセスで形成されるタングステンシリサイド（ＷＳｉ）とアルミニウムの積層膜（約２Ω／□）が用いられるようになってきている。しかし、この積層膜を引き込み配線として用いることによって、「縦すじ」と呼ばれる画品位低下の要因となる新たな課題が発生する。
即ち、液晶層に直流電圧が印加されない様にして液晶層の劣化を低減すべく、有効画素領域のみならず周辺回路領域にも電極膜が設けられ、この電極膜が所定の電位となる様に設定されているのであるが（例えば、特開平８−２６７８１５号公報参照。）、遮光膜と同一プロセスで形成される積層膜によって引き込み配線を形成した場合には、この電極膜と引き込み配線との間に生じる寄生容量が問題視されることとなり、各引き込み配線の容量の違いがより一層問題となるのである。
【００１５】
具体的には、図６（図６は図４中の符合Ｙ−Ｙ'間における断面図である）で示す様に、石英ガラス基板３０１の上層に絶縁膜３０２を介して形成された映像信号供給配線２０４とデータライン２０２とを接続する引き込み配線２０５と、引き込み配線の上層に絶縁膜３０２及び平坦化膜３０３を介して形成された電極膜３０４との間に生じる寄生容量（図中符合Ｃで示す寄生容量）が、各引き込み配線によって異なることでいわゆる「縦すじ」が問題となるのである。
【００１６】
本発明は以上の点に鑑みて創案されたものであって、いわゆる「縦すじ」による画品位低下を抑制し、画品位の向上を実現することができる映像信号供給回路及び表示装置、並びに映像表示装置に関する。
【課題を解決するための手段】
【００１７】
上記の目的を達成するために、本発明に係る映像信号供給回路は、行方向に配されたゲートラインと、列方向に配されたデータラインと、各ゲートラインと各データラインが交差する位置に配された行列状の画素電極とを有し、同一の前記ゲートラインに接続された複数の前記画素電極を単位ユニットとして、該単位ユニット毎に映像信号の書き込みがなされるアクティブマトリクス回路に映像信号を供給する映像信号供給回路において、映像信号が供給されるＮ（Ｎ：２以上の整数）本の映像信号供給配線と、それぞれの前記映像信号供給配線を対応する前記データラインに接続する引き込み配線とを備え、前記各引き込み配線は、幅及び長さが略同一であり、Ｎ本の前記映像信号供給配線と重なり合うと共に、前記映像信号供給配線との接続箇所から前記データラインとの接続箇所までの距離が略同一である。
【００１８】
また、上記の目的を達成するために、本発明に係る表示装置は、行方向に配されたゲートラインと、列方向に配されたデータラインと、各ゲートラインと各データラインが交差する位置に配された行列状の画素電極とを有し、同一の前記ゲートラインに接続された複数の前記画素電極を単位ユニットとして、該単位ユニット毎に映像信号の書き込みがなされるアクティブマトリクス回路と、該アクティブマトリクス回路に映像信号を供給する映像信号供給回路とを備える表示装置において、前記映像信号供給回路は、映像信号が供給されるＮ（Ｎ：２以上の整数）本の映像信号供給配線と、それぞれの前記映像信号供給配線を対応する前記データラインに接続する引き込み配線とを備え、前記各引き込み配線は、幅及び長さが略同一であり、Ｎ本の前記映像信号供給配線と重なり合うと共に、前記映像信号供給配線との接続箇所から前記データラインとの接続箇所までの距離が略同一である。
【００１９】
更に、上記の目的を達成するために、本発明に係る映像表示装置は、行方向に配されたゲートラインと、列方向に配されたデータラインと、各ゲートラインと各データラインが交差する位置に配された行列状の画素電極とを有し、同一の前記ゲートラインに接続された複数の前記画素電極を単位ユニットとして、該単位ユニット毎に映像信号の書き込みがなされるアクティブマトリクス回路と、該アクティブマトリクス回路に映像信号を供給する映像信号供給回路とを備える表示装置を有し、該表示装置によって変調された光を用いて映像表示を行なう映像表示装置において、前記映像信号供給回路は、映像信号が供給されるＮ（Ｎ：２以上の整数）本の映像信号供給配線と、それぞれの前記映像信号供給配線を対応する前記データラインに接続する引き込み配線とを備え、前記各引き込み配線は、幅及び長さが略同一であり、Ｎ本の前記映像信号供給配線と重なり合うと共に、前記映像信号供給配線との接続箇所から前記データラインとの接続箇所までの距離が略同一である。
【００２０】
ここで、各引き込み配線の幅及び長さが略同一であるために、引き込み配線に生じる寄生容量の均一化が実現する。即ち、各引き込み配線の幅及び長さが略同一ということは、各引き込み配線の面積が略同一であるということであり、引き込み配線の寄生容量は引き込み配線の面積によって決定づけられるために、各引き込み配線の幅及び長さを略同一とすることで引き込み配線に生じる寄生容量の均一化が実現するのである。
【００２１】
なお、各引き込み配線の抵抗値を略同一にするという観点からは、必ずしも長さ及び幅を同一とする必要は無いとも考えられるが、具体的には接続距離が遠い引き込み配線はその幅を大きくし、接続距離が短い引き込み配線はその幅を小さくするという具合に引き込み配線の抵抗を制御することも考えられるが、この方法では、引き込み配線の面積が異なることとなり、寄生容量のばらつきが大きくなるうえに、幅の異なる引き込み配線を高精度に形成することは困難であって歩留りの低下を招きかねないために、各引き込み配線の抵抗値を略同一にする方法として、各引き込み配線の長さ及び幅を略同一としている。
【００２２】
また、各引き込み配線がＮ本の映像信号供給配線と重なり合うことによって、換言すると、各引き込み配線の映像信号供給配線との交差数を同一とすることによって、各引き込み配線の寄生容量の均一化が実現する。即ち、引き込み配線と線と映像信号供給配線との交差数が異なる場合には各引き込み配線の寄生容量のバラツキを生じてしまうのであるが、各引き込み配線の映像信号供給配線との交差数を同一とすることによって、引き込み配線の寄生容量の均一化が実現するのである。
【００２３】
更に、各引き込み配線において映像信号供給配線との接続箇所からデータラインとの接続箇所までの距離が略同一であることによって、各引き込み配線の抵抗値の均一化が実現する。即ち、引き込み配線と映像信号供給配線との接続箇所から引き込み配線とデータラインとの接続箇所までの距離によって引き込み配線の抵抗値が決定づけられるために、各引き込み配線において映像信号供給配線との接続箇所からデータラインとの接続箇所までの接続距離を略同一とすることによって、引き込み配線の抵抗値の均一化が実現するのである。
【発明の効果】
【００２４】
上記した本発明の映像信号供給回路及び表示装置、並びに映像表示装置では、各引き込み配線に生じる寄生容量及び各引き込み配線の抵抗値が均一化され、いわゆる「縦すじ」の発生を抑制することで画品位の向上が実現する。
【発明を実施するための最良の形態】
【００２５】
以下、本発明の実施の形態について図面を参照しながら説明し、本発明の理解に供する。
図１は本発明を適用した表示装置の一例である透過型ＬＣＤを説明するための模式図であり、図２は図１中符合Ｘ−Ｘ'で示す領域の断面図であり、ここで示す透過型ＬＣＤ１は、従来の透過型ＬＣＤと同様に、行方向に配されたゲートライン２と、列方向に配されたデータライン３と、ゲートライン及びデータラインの交差部に配された保持容量を有する行列状の液晶画素電極４とを備えており、水平方向におけるＮ画素が単位ユニットとされ、この単位ユニット毎に映像信号の書き込みを行なう様に構成されている。
【００２６】
また、Ｎ本の映像信号供給配線５から映像信号（Ｖｓｉｇ１〜ＶｓｉｇＮ）が供給されており、Ｖｓｉｇ１が供給される第１の映像信号供給配線５（１）は各単位ユニットの第１列のデータラインに映像信号（Ｖｓｉｇ１）を入力し、Ｖｓｉｇ２が供給される第２の映像信号供給配線５（２）は各単位ユニットの第２列のデータラインに映像信号（Ｖｓｉｇ２）を入力し、・・・、ＶｓｉｇＮが供給される第Ｎの映像信号供給配線５（Ｎ）は各単位ユニットの第Ｎ列のデータラインに映像信号（ＶｓｉｇＮ）を入力する様に、映像信号供給配線とデータラインとが引き込み配線６によって接続されている。
具体的には、水平方向に配線されたＮ本の映像信号入力配線と垂直方向に配線された引き込み配線とが第１の接続箇所（図中符合Ａ（１）〜符合Ａ（Ｎ）で示す箇所）で電気的に接続され、垂直方向に配線された引き込み配線と、同じく垂直方向に配線されたデータラインとが第２の接続箇所（図中符合Ｂ（１）〜符合Ｂ（Ｎ）で示す箇所）で電気的に接続されており、第１の映像信号供給配線５（１）は第１の引き込み配線６（１）によって各単位ユニットの第１列のデータラインと接続され、第２の映像信号供給配線５（２）は第２の引き込み配線６（２）によって各単位ユニットの第２列のデータラインと接続され、・・・、第Ｎの映像信号供給配線５（Ｎ）は第Ｎの引き込み配線６（Ｎ）によって各単位ユニットの第Ｎ列のデータラインと接続されている。
【００２７】
なお、各引き込み配線は、液晶画素電極と接続されたＴＦＴを遮光する遮光膜と同一プロセスで形成された金属膜（例えば、アルミニウム膜、チタン膜、タングステンシリサイド（ＷＳｉ）とアルミニウムの積層膜）によって構成されている。
【００２８】
また、第２の引き込み配線〜第Ｎの引き込み配線は第１の接続箇所よりもデータラインとは反対側に第１のダミーパターン領域７（第１の延在部の一例）を有しており、各引き込み配線はＮ本の映像信号供給配線と交差する様に構成されている。具体的には、第２の引き込み配線の第１の接続箇所Ａ（２）よりもデータラインとは反対側に第１のダミーパターン領域（２）（図中符合７（２）で示す領域）を形成することで第１の映像信号供給配線５（１）とも交差する構成とし、第３の引き込み配線の第１の接続箇所Ａ（３）よりもデータラインとは反対側に第１のダミーパターン領域（３）（図中符合７（３）で示す領域）を形成することで第１の映像信号供給配線５（１）及び第２の映像信号供給配線５（２）とも交差する構成とし、・・・、第Ｎの引き込み配線の第１の接続箇所Ａ（Ｎ）よりもデータラインとは反対側に第Ｎのダミーパターン領域（Ｎ）（図中符合７（Ｎ）で示す領域）を形成することで第１の映像信号供給配線５（１）〜第（Ｎ−１）の映像信号供給配線５（Ｎ−１）とも交差する構成とすることによって、全ての引き込み配線が全ての映像信号供給配線と交差する様に構成されている。
【００２９】
更に、各引き込み配線の第１の接続箇所から第２の接続箇所までの距離が等しくなる様に、第２の引き込み配線〜第Ｎの引き込み配線については第２の接続箇所を映像信号供給配線の配線パターン間隔分だけデータライン側に移動して構成されている。具体的には、第２の引き込み配線の第２の接続箇所は第１の引き込み配線の第２の接続箇所に対して、第１の映像信号供給配線と第２の映像信号供給配線の間隔分だけデータライン側に移動させ、第３の引き込み配線の第２の接続箇所は第１の引き込み配線の第２の接続箇所に対して、第１の映像信号供給配線と第３の映像信号供給配線の間隔分だけデータライン側に移動させ、・・・、第Ｎの引き込み配線の第２の接続箇所は第１の引き込み配線の第２の接続箇所に対して、第１の映像信号供給配線と第Ｎの映像信号供給配線の間隔分だけデータライン側に移動させることによって、全ての引き込み配線で第１の接続箇所から第２の接続箇所までの距離が等しくなる様に構成されている。
【００３０】
また、第１の引き込み配線〜第（Ｎ−１）の引き込み配線は第２の接続箇所よりもデータライン側に第２のダミーパターン領域８（第２の延在部の一例）を有しており、各引き込み配線が同一の長さとなる様に構成されている。具体的には、第１の引き込み配線の第２の接続箇所Ｂ（１）よりもデータライン側に第２のダミーパターン領域（１）（図中符合８（１）で示す領域）を形成することで第１の引き込み配線と第Ｎの引き込み配線の長さを同一とし、第２の引き込み配線の第２の接続箇所Ｂ（２）よりもデータライン側に第２のダミーパターン領域（２）（図中符合８（２）で示す領域）を形成することで第２の引き込み配線と第Ｎの引き込み配線の長さを同一とし、・・・、第（Ｎ−１）の引き込み配線の第２の接続箇所Ｂ（Ｎ−１）よりもデータライン側に第２のダミーパターン領域（Ｎ−１）を形成することで第（Ｎ−１）の引き込み配線と第Ｎの引き込み配線の長さを同一として、第１の引き込み配線〜第（Ｎ−１）の引き込み配線の長さを第Ｎの引き込み配線の長さと同一とすることによって、全ての引き込み配線の長さが等しくなる様に構成されている。なお、全ての引き込み配線は略同一幅となる様に構成されている。
【００３１】
上記した本発明を適用した透過型ＬＣＤでは、全ての引き込み配線はＮ本の映像信号供給配線と交差する様に構成されており、各引き込み配線の映像信号供給配線との交差数が同一であるために、主に映像信号供給配線との間で生じる寄生容量の均一化が実現する。また、全ての引き込み配線で第１の接続箇所から第２の接続箇所までの距離が等しいために、引き込み配線の抵抗値の均一化が実現する。更に、全ての引き込み配線が同一の長さ及び幅となる様に構成されており、全ての引き込み配線の面積が等しいために、主に液晶層の劣化を低減することを目的として周辺領域に形成された電極膜との間で生じる寄生容量の均一化が実現する。
上記の様に、引き込み配線の寄生容量及び抵抗値の均一化が実現し、各引き込み配線の寄生容量及び抵抗値のバラツキが低減されることでいわゆる「縦すじ」の発生を抑制でき、画品位の向上が実現する。
【００３２】
また、従来は、ＴＦＴのトランジスタと同一プロセスで形成される多結晶シリコン膜よりも抵抗値が極めて小さなＴＦＴを遮光する遮光膜と同一プロセスで形成された金属膜を引き込み配線として利用したいというニーズがあるものの、引き込み配線と電極膜との間で生じる寄生容量のバラツキが懸案事項とされていたが、引き込み配線と電極膜との間で生じる寄生容量のバラツキを低減することができるために、引き込み配線として液晶画素電極と接続されたＴＦＴを遮光する遮光膜と同一プロセスで形成された金属膜を問題なく利用することができる。
【００３３】
更に、引き込み配線の寄生容量のバラツキを抑制すべく、従来は引き込み配線の形成位置を電極膜と重なり合わない領域とするといったレイアウト上の配慮が行なわれることもあったが、引き込み配線と電極膜との間で生じる寄生容量のバラツキを抑制することができ、引き込み配線の形成位置に特段の配慮を行なう必要がなくなって、画素領域側に形成することができるために、チップレイアウト面積の縮小化が実現する。
【００３４】
また、本発明を適用した透過型ＬＣＤでは、新たな配線等を別途形成するといったものではなく、従来の透過型ＬＣＤの製造工程を何ら増加させることなく実現が可能である。
【００３５】
図３は本発明を適用した映像表示装置の一例である透過型液晶プロジェクタを説明するための模式図であり、ここで示す透過型液晶プロジェクタ１００は、いわゆる３板方式として赤、緑、青の３原色に対応した３つのライトバルブに図１に示す透過型ＬＣＤを使用し、スクリーン（図示せず）上に拡大投影されたカラー映像を表示する投射型の映像表示装置である。
【００３６】
具体的に、この透過型液晶プロジェクタは、照明光を出射する光源であるランプ１０１と、ランプからの照明光のうち赤色光（Ｒ）のみを反射するＲダイクロイックミラー１０３Ｒと、ランプからの照明光のうち緑色光（Ｇ）のみを反射するＧダイクロイックミラー１０３Ｇと、赤色光（Ｒ），緑色光（Ｇ），青色光（Ｂ）をそれぞれ変調して透過する光変調手段であるＲライトバルブ１０４Ｒ，Ｇライトバルブ１０４Ｇ及びＢライトバルブ１０４Ｂと、変調された赤色光（Ｒ），緑色光（Ｇ），青色光（Ｂ）を合成する合成光学手段であるダイクロイックプリズム１０５と、合成された照明光をスクリーンに投射する投射手段である投射レンズ１０６とを備えている。
【００３７】
ここで、ランプは、赤色光（Ｒ）、緑色光（Ｇ）及び青色光（Ｂ）を含む白色光を照射するものであり、例えばハロゲンランプや、メタルハライドランプ、キセノンランプ等からなる。
【００３８】
また、ランプとＲダイクロイックミラーとの間の光路中には、赤外線や紫外線をカットするフィルタ１０９や、ランプから出射された照明光の照度分布を均一化するフライアイレンズ１０７や、照明光のＰ，Ｓ偏光成分を一方の偏光成分（例えばＳ偏光成分）に変換する偏光変換素子１０８等が配置されている。
【００３９】
投射レンズは、ダイクロイックプリズムからの光をスクリーンに向かって拡大投影する機能を有している。
【００４０】
以上の様に構成される透過型液晶プロジェクタでは、ランプから出射された白色光がＲダイクロイックミラー及びＧダイクロイックミラーによって赤色光（Ｒ），緑色光（Ｇ），青色光（Ｂ）に分離される。これら分離された赤色光（Ｒ），緑色光（Ｇ），青色光（Ｂ）は、コンデンサレンズ１１２を介して各ライトバルブへと入射される。各ライトバルブに入射された赤色光（Ｒ），緑色光（Ｇ），青色光（Ｂ）は、各ライトバルブの各画素に印加される駆動電圧に応じて偏光変調された後、ダイクロイックプリズムによって合成され、この合成された光が投射レンズによってスクリーン上に拡大投射される。
【００４１】
以上の様にして、この透過型液晶プロジェクタでは、ライトバルブによって変調された光に応じた映像をスクリーン上に拡大投影することでカラー映像表示を行なう。
【００４２】
ところで、各ライトバルブを構成する透過型ＬＣＤは、上述した様に、縦スジの抑制が
可能であることから、ここで示す透過型プロジェクタにおいても表示品位の信頼性の向上
が実現する。
【００４３】
なお、本実施例では透過型プロジェクタのようにスクリーンに投影する投射型の映像表
示装置を例に挙げて説明を行なったが、本発明は透過型ＬＣＤを直接見るような直視型の
映像表示装置にも広く適用可能である。
【図面の簡単な説明】
【００４４】
【図１】本発明を適用した表示装置の一例である透過型ＬＣＤを説明するための模式図である。
【図２】図１中符合Ｘ−Ｘ'で示す領域の断面図である。
【図３】本発明を適用した映像表示装置の一例である透過型液晶プロジェクタを説明するための模式図である。
【図４】従来の透過型ＬＣＤを説明するための模式図（１）である。
【図５】従来の透過型ＬＣＤを説明するための模式図（２）である。
【図６】引き込み配線と電極膜との間で生じる寄生容量を説明するための模式図である。
【符号の説明】
【００４５】
１    透過型ＬＣＤ
２    ゲートライン
３    データライン
４    液晶画素電極
５    映像信号供給配線
６    引き込み配線
７    第１のダミーパターン領域
８    第２のダミーパターン領域
９    サンプリングゲート
１００    透過型液晶プロジェクタ
１０１    ランプ
１０３Ｒ  Ｒダイクロイックミラー
１０３Ｇ  Ｇダイクロイックミラー
１０４Ｒ  Ｒライトバルブ
１０４Ｇ  Ｇライトバルブ
１０４Ｂ  Ｂライトバルブ
１０５    ダイクロイックプリズム
１０６    投射レンズ
１０７    フライアイレンズ
１０８    偏光変換素子
１０９    フィルタ
１１０    全反射ミラー
１１１    リレーレンズ
１１２    コンデンサレンズ
【図１】
2008064811.tif 000003
【図２】
2008064811.tif 000004
【図３】
2008064811.tif 000005
【図４】
2008064811.tif 000006
【図５】
2008064811.tif 000007
【図６】
2008064811.tif 000008